(57)【要約】【課題】実際の原稿を読み上げたときの音声ファイルにて口述者候補を確認でき、実際に使用する原稿内容に適した口述者を的確かつ効率的に選択可能にすること。【解決手段】注文者側端末１，２からナレータ検索センタ１００へナレーションについての注文が行われる。前記注文内容は、実際に使用する原稿ファイル、ナレータ条件、イベント内容を含み、ナレータ検索センタ１００のオファーサイトにアップロードされる。声優やナレータは各口述者側端末３，４，５，６から前記オファーサイトへアクセスし、前記ナレータ条件に合致しているか確認し、前記原稿ファイルに基づいて音声ファイルを作成し、口述者候補として前記音声ファイルとともに前記オファーサイトにエントリする。前記エントリされた口述者候補の音声ファイルはナレーター検索サーバ７から前記注文者側端末へ送信され、前記音声ファイルの中から最適な声優やナレータの選択が行われる。【選択図】      図１
2005165796.tif 000002
【特許請求の範囲】
【請求項１】
注文者側端末と口述者検索サーバと口述者側端末とがネットワーク上で互いに通信可能に接続され、
口述の内容およびその口述者についての条件を添付し、前記注文者側端末から前記口述者検索サーバへ前記口述についての注文を送信する注文ステップと、
前記口述者検索サーバへ送信された前記口述者についての条件を前記口述者側端末へ送信し、前記口述者側端末の口述者に対し前記条件に合致するか否かを確認させる確認ステップと、
前記口述者についての条件を表示した前記口述者側端末において、前記口述の内容を前記口述者検索サーバから受信する受信ステップと、
前記口述者側端末において受信した前記口述の内容をもとに口述者側端末の口述者が口述を行うことにより音声ファイルを作成する音声ファイル作成ステップと、
前記口述者側端末から前記口述者検索サーバへ、前記口述者が前記音声ファイルとともにエントリするエントリステップと、
前記エントリされた前記口述者の音声ファイルを前記注文者側端末へ送信し、前記音声ファイルの中から口述者を選択させる送信ステップと、
を備えたことを特徴とする口述者検索方法。
【請求項２】
注文者側端末と口述者検索サーバと口述者側端末とがネットワーク上で互いに通信可能に接続され、
口述者についての条件を、前記口述者側端末から前記口述者検索サーバへ事前登録する登録ステップと、
口述の内容およびその口述者の条件を添付し、前記注文者側端末から前記口述者検索サーバへ前記口述についての注文を送信する注文ステップと、
前記口述者検索サーバにおいて、前記事前登録してある口述者についての条件から前記注文に添付された口述者の条件に適合する口述者を選択する選択ステップと、
前記口述者検索サーバから前記選択した口述者の口述者側端末へ前記注文に添付されていた口述の内容を送信する送信ステップと、
前記口述者側端末において前記口述の内容を前記口述者検索サーバから受信し、受信した口述の内容をもとに前記口述者側端末の口述者が口述を行うことにより音声ファイルを作成する音声ファイル作成ステップと、
前記口述者側端末から前記口述者検索サーバへ、前記口述者が前記音声ファイルをエントリするエントリステップと、
前記エントリされた前記口述者の音声ファイルを前記注文者側端末へ送信し、前記音声ファイルの中から口述者を選択させる口述者候補送信ステップと、
を備えたことを特徴とする口述者検索方法。
【請求項３】
注文者側端末と口述者検索サーバと口述者側端末とがネットワーク上で互いに通信可能に接続され、
口述者についての条件を、前記口述者側端末から前記口述者検索サーバへ事前登録する登録ステップと、
口述の内容およびその口述者の条件を添付し、前記注文者側端末から前記口述者検索サーバへ前記口述についての注文を送信する注文ステップと、
前記口述者検索サーバから前記事前登録された口述者全員の口述者側端末へ前記注文に添付されていた口述の内容を送信する送信ステップと、
前記口述者側端末において受信した口述の内容をもとに前記口述者側端末の口述者が口述を行うことにより音声ファイルを作成する音声ファイル作成ステップと、
前記口述者側端末から前記口述者検索サーバへ、前記口述者が前記音声ファイルをエントリするエントリステップと、
前記口述者検索サーバにおいて、前記事前登録してある口述者についての条件から前記注文に添付された口述者の条件に適合する口述者を選択する選択ステップと、
前記選択された前記口述者の音声ファイルを前記注文者側端末へ送信し、前記音声ファイルの中から口述者を選択させる口述者候補送信ステップと、
を備えたことを特徴とする口述者検索方法。
【請求項４】
前記口述の内容は原稿ファイルを含み、前記口述者についての条件は、口述者の年齢、性別、語学力、音質、イベント内容を含むことを特徴とする請求項１乃至３いずれか１項記載の口述者検索方法。
【請求項５】
前記エントリステップでは、前記口述者の音声ファイルを、前記注文者側端末から提示されたエントリ期限内に前記口述者側端末から前記口述者検索サーバへエントリすることを特徴とする請求項１乃至３いずれか１項記載の口述者検索方法。
【請求項６】
注文者側端末と口述者検索サーバと口述者側端末とがネットワーク上で互いに通信可能に接続され、
口述の内容およびその口述者についての条件を添付し、前記注文者側端末から前記口述者検索サーバへ前記口述についての注文を送信する注文手段と、
前記口述者検索サーバへ送信された前記口述者についての条件をもとに、前記口述者側端末の口述者に対し前記条件に合致するか否かを確認させる確認手段と、
前記口述者についての条件を受信した前記口述者側端末において前記口述の内容を前記口述者検索サーバから受信する受信手段と、
前記口述者側端末において受信した前記口述の内容をもとに口述者側端末の口述者が口述を行うことにより音声ファイルを作成する音声ファイル作成手段と、
前記口述者側端末から前記口述者検索サーバへ、前記音声ファイルとともに口述者候補をエントリするエントリ手段と、
前記エントリされた口述者候補の音声ファイルを前記注文者側端末へ送信し、前記口述者候補の中から口述者を選択させる送信手段と、
を備えたことを特徴とする口述者検索システム。
【請求項７】
注文者側端末と口述者検索サーバと口述者側端末とがネットワーク上で互いに通信可能に接続され、
口述者についての条件を、前記口述者側端末から前記口述者検索サーバへ事前登録する登録手段と、
口述の内容およびその口述者の条件を添付し、前記注文者側端末から前記口述者検索サーバへ前記口述についての注文を送信する注文手段と、
前記口述者検索サーバにおいて、事前登録してある口述者についての条件から前記注文に添付された口述者の条件に適合する口述者を選択する選択手段と、
前記口述者検索サーバから前記選択した口述者の口述者側端末へ前記注文に添付されていた口述の内容を送信する送信手段と、
前記口述者側端末において前記口述の内容を前記口述者検索サーバから受信し、受信した口述の内容をもとに前記口述者側端末の口述者が口述を行うことにより音声ファイルを作成する音声ファイル作成手段と、
前記口述者側端末から前記口述者検索サーバへ、前記口述者の音声ファイルを送信しエントリするエントリ手段と、
前記エントリされた前記口述者の音声ファイルを前記注文者側端末へ送信し、前記音声ファイルの中から口述者を選択させる口述者候補送信手段と、
を備えたことを特徴とする口述者検索システム。
【請求項８】
注文者側端末と口述者検索サーバと口述者側端末とがネットワーク上で互いに通信可能に接続され、
口述者についての条件を、前記口述者側端末から前記口述者検索サーバへ事前登録する登録手段と、
口述の内容およびその口述者の条件を添付し、前記注文者側端末から前記口述者検索サーバへ前記口述についての注文を送信する注文手段と、
前記口述者検索サーバから前記事前登録された口述者全員の口述者側端末へ前記注文に添付されていた口述の内容を送信する送信手段と、
前記口述者側端末において受信した口述の内容をもとに前記口述者側端末の口述者が口述を行うことにより音声ファイルを作成する音声ファイル作成手段と、
前記口述者側端末から前記口述者検索サーバへ、前記口述者が前記音声ファイルをエントリするエントリ手段と、
前記口述者検索サーバにおいて、前記事前登録してある口述者についての条件から前記注文に添付された口述者の条件に適合する口述者を選択する選択手段と、
前記選択された前記口述者の音声ファイルを前記注文者側端末へ送信し、前記音声ファイルの中から口述者を選択させる口述者候補送信手段と、
を備えたことを特徴とする口述者検索システム。
【請求項９】
前記口述の内容は原稿ファイルを含み、前記口述者についての条件は、口述者の年齢、性別、語学力、音質、イベント内容を含むことを特徴とする請求項６乃至８いずれか１項記載の口述者検索システム。
【請求項１０】
前記エントリステップでは、前記口述者の音声ファイルを、前記注文者側端末から提示されたエントリ期限内に前記口述者側端末から前記口述者検索サーバへエントリすることを特徴とする請求項６乃至８いずれか１項記載の口述者検索システム。
【発明の詳細な説明】
【技術分野】
【０００１】
本発明は、ナレーションのための声優やナレータを使用したいカスタマーの要望に素早くかつ適切に対応できる口述者検索方法および装置に関する。
【背景技術】
【０００２】
従来、会社などの宣伝用の映像や新製品の展示会などでは、相応の声優やナレータによる、その会社のイメージに合致したナレーションによる解説が不可欠である。このようなナレーションの音声サンプルは、それぞれの声優やナレータが所属する各事務所を介してＣＤなどの記録媒体に収録され配布されている。この音声サンプルはあらかじめ決められた内容の原稿を声優やナレータが読み上げたものである。
このような音声という聴覚情報を、インターネット上のホームページまたはＷｅｂサイトなどにおいて利用できるように、各種人声音声データをライブラリ化し、任意に試聴もしくは選択できるようにした音声ライブラリシステムがある（例えば、特許文献１参照）。
【特許文献１】特開２００２−３５１４８７号公報
【発明の開示】
【発明が解決しようとする課題】
【０００３】
かかる従来の音声ライブラリシステムには、以下の短所が付随している。
提供される音声データは、あくまでもあらかじめ決められた内容の原稿についての声優やナレータによるナレーションであるため、実際に使用したい原稿内容についてのナレションは、前記音声サンプルからは的確に把握できず、実際に使用したい原稿内容についてのナレーションイメージは、前記音声サンプルから想像する他はないという課題があった。
【０００４】
本発明は、このような事情に鑑みてなされたものであり、声優やナレータの音声サンプルを実際の原稿を読み上げたときのナレーションにて確認でき、実際に使用する原稿内容に適したナレーションが可能な声優やナレータを的確かつ時間を要することなく効率的に選択できる口述者検索方法および装置を提供することを目的とする。
【課題を解決するための手段】
【０００５】
上述の目的を達成するため、本発明にかかる口述者検索方法は、注文者側端末と口述者検索サーバと口述者側端末とがネットワーク上で互いに通信可能に接続され、口述の内容およびその口述者についての条件を添付し、前記注文者側端末から前記口述者検索サーバへ前記口述についての注文を送信する注文ステップと、前記口述者検索サーバへ送信された前記口述者についての条件を前記口述者側端末へ送信し、前記口述者側端末の口述者に対し前記条件に合致するか否かを確認させる確認ステップと、前記口述者についての条件を送信した前記口述者側端末において、前記口述の内容を前記口述者検索サーバから受信する受信ステップと、前記口述者側端末において受信した前記口述の内容をもとに口述者側端末の口述者が口述を行うことにより音声ファイルを作成する音声ファイル作成ステップと、前記口述者側端末から前記口述者検索サーバへ、前記口述者が前記音声ファイルとともにエントリするエントリステップと、前記エントリされた前記口述者の音声ファイルを前記注文者側端末へ送信し、前記音声ファイルの中から口述者を選択させる送信ステップとを備えたことを特徴とする。
【０００６】
また、本発明にかかる口述者検索方法は、注文者側端末と口述者検索サーバと口述者側端末とがネットワーク上で互いに通信可能に接続され、口述者についての条件を、前記口述者側端末から前記口述者検索サーバへ事前登録する登録ステップと、口述の内容およびその口述者の条件を添付し、前記注文者側端末から前記口述者検索サーバへ前記口述についての注文を送信する注文ステップと、前記口述者検索サーバにおいて、前記事前登録してある口述者についての条件から前記注文に添付された口述者の条件に適合する口述者を選択する選択ステップと、前記口述者検索サーバから前記選択した口述者の口述者側端末へ前記注文に添付されていた口述の内容を送信する送信ステップと、前記口述者側端末において前記口述の内容を前記口述者検索サーバから受信し、受信した口述の内容をもとに前記口述者側端末の口述者が口述を行うことにより音声ファイルを作成する音声ファイル作成ステップと、前記口述者側端末から前記口述者検索サーバへ、前記口述者が前記音声ファイルをエントリするエントリステップと、前記エントリされた前記口述者の音声ファイルを前記注文者側端末へ送信し、前記音声ファイルの中から口述者を選択させる口述者候補送信ステップとを備えたことを特徴とする。
【０００７】
また、本発明にかかる口述者検索方法は、注文者側端末と口述者検索サーバと口述者側端末とがネットワーク上で互いに通信可能に接続され、口述者についての条件を、前記口述者側端末から前記口述者検索サーバへ事前登録する登録ステップと、口述の内容およびその口述者の条件を添付し、前記注文者側端末から前記口述者検索サーバへ前記口述についての注文を送信する注文ステップと、前記口述者検索サーバから前記事前登録された口述者全員の口述者側端末へ前記注文に添付されていた口述の内容を送信する送信ステップと、前記口述者側端末において受信した口述の内容をもとに前記口述者側端末の口述者が口述を行うことにより音声ファイルを作成する音声ファイル作成ステップと、前記口述者側端末から前記口述者検索サーバへ、前記口述者が前記音声ファイルをエントリするエントリステップと、前記口述者検索サーバにおいて、前記事前登録してある口述者についての条件から前記注文に添付された口述者の条件に適合する口述者を選択する選択ステップと、前記選択された前記口述者の音声ファイルを前記注文者側端末へ送信し、前記音声ファイルの中から口述者を選択させる口述者候補送信ステップとを備えたことを特徴とする。
【０００８】
また、本発明にかかる口述者検索システムは、注文者側端末と口述者検索サーバと口述者側端末とがネットワーク上で互いに通信可能に接続され、口述の内容およびその口述者についての条件を添付し、前記注文者側端末から前記口述者検索サーバへ前記口述についての注文を送信する注文手段と、前記口述者検索サーバへ送信された前記口述者についての条件を前記口述者側端末へ送信し、前記口述者側端末の口述者に対し前記条件に合致するか否かを確認させる確認手段と、前記口述者についての条件を送信した前記口述者側端末において、前記口述の内容を前記口述者検索サーバから受信する受信手段と、前記口述者側端末において受信した前記口述の内容をもとに口述者側端末の口述者が口述を行うことにより音声ファイルを作成する音声ファイル作成手段と、前記口述者側端末から前記口述者検索サーバへ、前記口述者が前記音声ファイルとともにエントリするエントリ手段と、前記エントリされた前記口述者の音声ファイルを前記注文者側端末へ送信し、前記音声ファイルの中から口述者を選択させる送信手段とを備えたことを特徴とする。
【０００９】
また、本発明にかかる口述者検索システムは、注文者側端末と口述者検索サーバと口述者側端末とがネットワーク上で互いに通信可能に接続され、口述者についての条件を、前記口述者側端末から前記口述者検索サーバへ事前登録する登録手段と、口述の内容およびその口述者の条件を添付し、前記注文者側端末から前記口述者検索サーバへ前記口述についての注文を送信する注文手段と、前記口述者検索サーバにおいて、事前登録してある口述者についての条件から前記注文に添付された口述者の条件に適合する口述者を選択する選択手段と、前記口述者検索サーバから前記選択した口述者の口述者側端末へ前記注文に添付されていた口述の内容を送信する送信手段と、前記口述者側端末において前記口述の内容を前記口述者検索サーバから受信し、受信した口述の内容をもとに前記口述者側端末の口述者が口述を行うことにより音声ファイルを作成する音声ファイル作成手段と、前記口述者側端末から前記口述者検索サーバへ、前記口述者の音声ファイルを送信しエントリするエントリ手段と、前記エントリされた前記口述者の音声ファイルを前記注文者側端末へ送信し、前記音声ファイルの中から口述者を選択させる口述者候補送信手段とを備えたことを特徴とする。
【００１０】
また、本発明にかかる口述者検索システムは、注文者側端末と口述者検索サーバと口述者側端末とがネットワーク上で互いに通信可能に接続され、口述者についての条件を、前記口述者側端末から前記口述者検索サーバへ事前登録する登録手段と、口述の内容およびその口述者の条件を添付し、前記注文者側端末から前記口述者検索サーバへ前記口述についての注文を送信する注文手段と、前記口述者検索サーバから前記事前登録された口述者全員の口述者側端末へ前記注文に添付されていた口述の内容を送信する送信手段と、前記口述者側端末において受信した口述の内容をもとに前記口述者側端末の口述者が口述を行うことにより音声ファイルを作成する音声ファイル作成手段と、前記口述者側端末から前記口述者検索サーバへ、前記口述者が前記音声ファイルをエントリするエントリ手段と、前記口述者検索サーバにおいて、前記事前登録してある口述者についての条件から前記注文に添付された口述者の条件に適合する口述者を選択する選択手段と、前記選択された前記口述者の音声ファイルを前記注文者側端末へ送信し、前記音声ファイルの中から口述者を選択させる口述者候補送信手段とを備えたことを特徴とする。
【発明の効果】
【００１１】
本発明によれば、カスタマー側からの注文に添付された、実際に使用する原稿ファイルが声優やナレータへ送信され、前記声優やナレータによる前記原稿ファイルの音声サンプルがナレーター検索サーバにエントリされ、前記カスタマー側では前記実際に使用する原稿ファイルの前記音声サンプルをもとに、口述者候補を選択するため、声優やナレータの音声サンプルを実際の原稿を読み上げたときのナレーションにて確認でき、実際に使用する原稿内容に合致した適切なナレーションが可能な声優やナレータを的確かつ時間を要することなく効率的に選択できる。
【発明を実施するための最良の形態】
【００１２】
声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述の内容およびその口述者についての条件を添付し、注文者側端末から口述者検索サーバへ前記口述についての注文を送信し、前記口述者検索サーバへ送信された前記口述者についての条件を口述者側端末へ送信し、前記口述者側端末の口述者に対し前記条件に合致するか否かを確認させ、前記口述者についての条件を送信した前記口述者側端末においては、前記口述の内容を前記口述者検索サーバから受信し、前記口述の内容をもとに前記口述者側端末の口述者が口述を行うことにより音声ファイルを作成し、前記口述者側端末から前記口述者検索サーバへ、前記口述者が前記音声ファイルとともにエントリし、前記エントリされた前記口述者の音声ファイルを前記注文者側端末へ送信し、前記音声ファイルの中から口述者を選択させることで実現した。
【００１３】
また、声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述者についての条件を、口述者側端末から口述者検索サーバへ事前登録しておき、口述の内容およびその口述者の条件を添付し、注文者側端末から前記口述者検索サーバへ前記口述についての注文を送信し、前記口述者検索サーバにおいて、前記事前登録してある口述者についての条件から前記注文に添付された口述者の条件に適合する口述者を選択し、前記口述者検索サーバから前記選択した口述者の口述者側端末へ前記注文に添付されていた口述の内容を送信し、前記口述者側端末において前記口述の内容を前記口述者検索サーバから受信し、受信した口述の内容をもとに前記口述者側端末の口述者が口述を行うことにより音声ファイルを作成し、前記口述者側端末から前記口述者検索サーバへ、前記口述者が前記音声ファイルをエントリし、前記エントリされた前記口述者の音声ファイルを前記注文者側端末へ送信し、前記音声ファイルの中から口述者を選択させることで実現した。
【００１４】
また、声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述者についての条件を、口述者側端末から口述者検索サーバへ事前登録しておき、口述の内容およびその口述者の条件を添付し、注文者側端末から前記口述者検索サーバへ前記口述についての注文を送信し、前記口述者検索サーバから前記事前登録された口述者全員の口述者側端末へ前記注文に添付されていた口述の内容を送信し、前記口述者側端末において受信した口述の内容をもとに前記口述者側端末の口述者が口述を行うことにより音声ファイルを作成し、前記口述者側端末から前記口述者検索サーバへ、前記口述者が前記音声ファイルをエントリし、前記口述者検索サーバにおいて、前記事前登録してある口述者についての条件から前記注文に添付された口述者の条件に適合する口述者を選択し、前記選択された前記口述者の音声ファイルを前記注文者側端末へ送信し、前記音声ファイルの中から口述者を選択させることで実現した。
【００１５】
また、声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述の内容およびその口述者についての条件を添付し、注文者側端末から口述者検索サーバへ前記口述についての注文を注文手段が送信し、前記口述者検索サーバへ送信された前記口述者についての条件を口述者側端末へ送信し、前記口述者側端末の口述者に対し前記条件に合致するか否かを確認手段により確認させ、前記口述者についての条件を送信した前記口述者側端末において、前記口述の内容を前記口述者検索サーバから受信手段が受信し、前記口述者側端末において受信した前記口述の内容をもとに前記口述者側端末の口述者が口述を行うことにより音声ファイル作成手段が音声ファイルを作成し、前記口述者側端末から前記口述者検索サーバへ、前記口述者が前記音声ファイルとともにエントリ手段によりエントリすると、前記エントリされた前記口述者の音声ファイルを送信手段が前記注文者側端末へ送信し、前記音声ファイルの中から口述者を選択させることで実現した。
【００１６】
また、声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述者についての条件を、口述者側端末から口述者検索サーバへ登録手段により事前登録しておき、口述の内容およびその口述者の条件を添付し、注文者側端末から前記口述者検索サーバへ前記口述についての注文を注文手段が送信し、前記口述者検索サーバにおいて、前記事前登録してある口述者についての条件から前記注文に添付された口述者の条件に適合する口述者を選択手段が選択し、前記口述者検索サーバから前記選択した口述者の口述者側端末へ前記注文に添付されていた口述の内容を送信手段により送信し、前記口述者側端末において前記口述の内容を前記口述者検索サーバから受信し、受信した口述の内容をもとに前記口述者側端末の口述者が口述を行うことにより音声ファイル作成手段により音声ファイルを作成し、前記口述者側端末から前記口述者検索サーバへ、前記口述者の音声ファイルをエントリ手段により送信しエントリすると、前記エントリされた前記口述者の音声ファイルを、口述者候補送信手段が前記注文者側端末へ送信し、前記音声ファイルの中から口述者を選択させることで実現した。
【００１７】
また、声優やナレータの音声サンプルを実際の原稿を読み上げたときのナレーションにて確認でき、使用したい原稿内容に合致したナレーションを行うことの可能な声優やナレータを的確かつ時間を要することなく効率的に選択するという目的を、口述者についての条件を、口述者側端末から口述者検索サーバへ登録手段により事前登録しておき、口述の内容およびその口述者の条件を添付し、注文者側端末から前記口述者検索サーバへ前記口述についての注文を注文手段により送信すると、前記口述者検索サーバから前記事前登録された口述者全員の口述者側端末へ前記注文に添付されていた口述の内容を送信手段が送信し、前記口述者側端末において受信した口述の内容をもとに前記口述者側端末の口述者が口述を行うことにより音声ファイル作成手段により音声ファイルを作成し、前記口述者側端末から前記口述者検索サーバへ、前記口述者が前記音声ファイルをエントリ手段によりエントリすると、前記口述者検索サーバにおいて、前記事前登録してある口述者についての条件から前記注文に添付された口述者の条件に適合する口述者を選択手段が選択し、前記選択された前記口述者の音声ファイルを口述者候補送信手段が前記注文者側端末へ送信し、前記音声ファイルの中から口述者を選択させることで実現した。
【実施例１】
【００１８】
図１は、この実施例１の口述者検索方法が適用される口述者検索システムの全体構成を示す概念図である。この口述者検索システムは、多数のナレーション原稿と、前記ナレーション原稿に対する多数の声優やナレータ（口述者）による音声サンプルを、ネットワークを介して短時間のうちに確認でき、イベント内容に適したナレーションを行うことの出来る声優やナレータを時間を要することなく的確かつ効率的に選択できるようにしたものである。
【００１９】
この口述者検索システムは、声優やナレータの使用を希望するネットワーク８により接続されるカスタマー側の端末（以下、注文者側端末という）１，２と、声優やナレータ側の端末（以下、口述者側端末という）４，５，６と、ナレータ検索サーバ（口述者検索サーバ）７とを備えている。
【００２０】
注文者側端末１，２は、声優やナレータを使用したいカスタマー側、すなわち注文者側にある端末である。口述者側端末３，４，５，６は、前記声優やナレータ側にある端末である。
【００２１】
ナレータ検索サーバ７はナレータ検索センタ１００に設置されており、ナレータの年齢、性別、語学力、音質などのナレータ条件、ナレータが希望するイベント内容を含むナレータ希望条件、カスタマー側から提示された原稿ファイル、音声ファイル、などの各種情報がデータベース化されている。
【００２２】
前記ナレータ条件は、それぞれのナレータがあらかじめナレータ検索センタへ登録しておく情報である。原稿ファイルは、声優やナレータの使用を希望するカスタマー側から提示された原稿の内容を示すファイルである。音声ファイルは、前記口述者側端末４，５，６から声優やナレータが前記原稿に従ってナレーションを行うことで得られた前記声優やナレータによるファイル化された音声情報である。
【００２３】
次に動作について説明する。
図２は、この口述者検索システムにおいてカスタマー側から声優やナレータによるナレーションの注文があるときのナレータ検索サーバ７と注文者側端末１，２と口述者側端末３，４，５，６との間の動作を示す概念図である。
また、図３は、声優やナレータによるナレーションについてのカスタマー側からの注文に対し、声優やナレータからのエントリがある場合のナレータ検索サーバ７と注文者側端末１，２と口述者側端末３，４，５，６との間の動作を示す概念図である。
また、図４は、カスタマー側から前記ナレーションについての正式な注文が行われる場合のナレータ検索サーバ７と注文者側端末１，２と口述者側端末３，４，５，６との間の動作を示す概念図である。
また、図５は、図２、図３、図４に示す各動作を注文者側端末１，２とナレータ検索サーバ７と口述者側端末３，４，５，６との間で送受される情報をもとに順序付けて示したシーケンス図である。
【００２４】
先ず、図２と図５を参照し、カスタマー側から注文があるときのナレータ検索センタ１００のナレータ検索サーバ７と注文者側端末１，２と口述者側端末３，４，５，６との間の動作を説明する。
先ず、カスタマー側はそれぞれの注文者側端末１，２からナレータ検索センタ１００へナレーションについての注文を行う（ステップＳ１）。図２においては、この注文者側端末１，２からの注文をオファーＥ、オファーＨとして示す。オファーＥはカスタマー側から注文者側端末１を介してナレータ検索センタ１００へ行われた注文、オファーＨはカスタマー側から注文者側端末２を介してナレータ検索センタ１００へ行われた注文である。
カスタマー側からのオファー内容は、カスタマー側から提示された原稿ファイル、ナレータの年齢、性別、語学力、音質などのナレータ条件、ナレータが希望するイベント内容などのナレータ希望条件に合致するかどうかを判定可能にするカスタマー側から提示されるイベント内容を含み、カスタマー側からの注文はこれら原稿ファイル、ナレータ条件、イベント内容を添付してナレータ検索センタ１００に対し行われる。これら、カスタマー側からの注文した内容は、ナレータ検索センタ１００のオファーサイトにアップロードされる。声優やナレータはそれぞれの口述者側端末３，４，５，６からナレータ検索センタ１００のナレータ検索サーバ７の前記オファーサイトへアクセスし、前記カスタマー側から提示された前記条件に合致するか否か確認を行う（ステップＳ２）。
図２においては、カスタマー側から注文者側端末１を介してオファーＥとして前記オファーサイトへ注文Ａがあり、また、他のカスタマー側から注文者側端末２を介してオファーＨとして注文Ｂがあり、これに対しナレータＪ、ナレータＫ、ナレータＭ、ナレータＮがそれぞれの口述者側端末３，４，５，６からアクセスしたことを示す。
【００２５】
次に、図３と図５を参照し、カスタマー側からのナレーションについての注文に対し、声優やナレータからのエントリがある場合のナレータ検索サーバ７と注文者側端末１，２と口述者側端末３，４，５，６との間の動作を説明する。
ステップＳ２において、前記カスタマー側から提示された前記条件に合致する否かを、前記オファーサイトにアクセスし確認を行なった声優やナレータは、自分が前記条件に合致していると判断した場合、それぞれの口述者側端末でカスタマー側からの注文内容である前記原稿ファイル、ナレータ条件、イベント内容をナレータ検索サーバ７から受信し（ステップＳ３）、前記原稿ファイルに基づいてナレーションを行い、録音し、音声ファイルを作成する（ステップＳ４）。そして、前記ナレーションを行ったときの音声ファイルとともに前記オファーサイトにエントリする（ステップＳ５）。このエントリは、例えばカスタマー側から提示されたエントリ期限内に行う。図３では、オファーＥに対し、ナレータＪ、ナレータＫ、ナレータＭがそれぞれの口述者側端末３，４，５からエントリし、また、オファーＨに対し、ナレータＪ、ナレータＮがそれぞれの口述者側端末３，６からエントリしたことを示す。この場合、前記音声ファイルは、指定の圧縮フォーマットで前記オファーサイトへアップロードされる。図３では、オファーＥに対し前記ナレータＪ、ナレータＫ、ナレータＭによる音声ファイルがＶｏｉｃｅｊ、Ｖｏｉｃｅｋ、Ｖｏｉｃｅｍとしてアップロードされ、また、オファーＨに対し、ナレータＪ、ナレータＮによる音声ファイルがＶｏｉｃｅｊ、Ｖｏｉｃｅｎとしてアップロードされたことを示す。
【００２６】
次に、図４と図５を参照し、カスタマー側から前記ナレーションについての正式な注文が行われる場合のナレータ検索サーバ７と注文者側端末１，２と口述者側端末３，４，５，６との間の動作を説明する。
前記オファーサイトにエントリされた声優やナレータ候補のそれぞれの音声ファイルがナレーター検索サーバ７から前記カスタマー側の注文者側端末へ送信され（ステップＳ６）、前記カスタマー側では、前記エントリ期限内に前記オファーサイトにエントリされた声優やナレータ候補のそれぞれの音声ファイルを確認し、前記候補の中から最適な声優やナレータを選択する（ステップＳ７）。
【００２７】
なお、この実施例１によれば、ステップＳ１が特許請求の範囲の注文ステップおよび注文手段に対応している。
また、ステップＳ２が特許請求の範囲の確認ステップおよび確認手段に対応している。
また、ステップＳ３が特許請求の範囲の確認ステップ、受信ステップ、確認手段および受信手段に対応している。
また、ステップＳ４が特許請求の範囲の音声ファイル作成ステップおよび音声ファイル作成手段に対応している。
また、ステップＳ５が特許請求の範囲のエントリステップおよびエントリ手段に対応している。
また、ステップＳ６が特許請求の範囲の送信ステップおよび送信手段に対応している。
【００２８】
以上のように、この実施例１によれば、カスタマー側で行おうとするイベント内容に適したナレーションの可能なナレータを時間を要することなく的確かつ効率的に選択できる口述者検索方法および装置を提供できる効果がある。
【実施例２】
【００２９】
次に、この実施例２の口述者検索方法が適用される口述者検索システムについて説明する。前記実施例１の口述者検索システムにおいては、オファーサイトにアクセスした声優やナレータが、カスタマー側から提示された声優やナレータの条件に合致する否かを自分で判断するものであった。この実施例２の口述者検索システムは、声優やナレータ側のナレータ条件をその声優やナレータ側においてナレータ検索サーバ７のオファーサイトへ事前に登録する点と、前記カスタマー側から提示された声優やナレータの条件に合致しているナレータであるか否かを、前記ナレータ側から事前に登録されたナレータ条件をもとにナレータ検索サーバ７において判定し、前記カスタマー側から提示されたナレータの条件に合致するナレータをナレータ検索サーバ７が選択する点に特徴を有する。
【００３０】
図６は、この実施例２の口述者検索方法が適用される口述者検索システムの動作を、注文者側端末１，２とナレータ検索サーバ７と口述者側端末３，４，５，６との間で送受される情報をもとに順序付けて示したシーケンス図である。なお、図６において図５と同一の部分については同一の符号を付し説明を省略する。図６において、この実施例２の特徴的なステップは、ステップＳ１１、ステップＳ１２、ステップＳ１３、ステップＳ１４、ステップＳ１５、ステップＳ１６およびステップＳ１７である。ステップＳ１１では、声優やナレータ側のナレータ条件をその声優やナレータがそれぞれの口述者側端末からナレータ検索サーバ７のオファーサイトへ事前に登録する。そして、ナレータ検索サーバ７では、前記ナレータ条件と前記カスタマー側から提示されたナレータの条件とを比較し、それぞれの声優やナレータについて、前記カスタマー側から提示されたナレータの条件に合致しているナレータであるか否かを判定し、前記カスタマー側から提示されたナレータの条件に合致するナレータをナレータ検索サーバ７が選択する。ステップＳ１３では、前記選択した声優やナレータの口述者側端末に対し、前記カスタマー側から提示された原稿ファイルを送信する。ステップＳ１４では、前記ナレータ検索サーバ７により選択された声優やナレータが前記原稿ファイルに基づいてナレーションを行い、録音し、音声ファイルを作成する。ステップＳ１５では、前記ナレータ検索サーバ７により選択された声優やナレータはナレーションを行ったときの音声ファイルをナレータ検索サーバ７へ送信し、前記オファーサイトにエントリする。ステップＳ１６では、前記オファーサイトにエントリされた声優やナレータ候補のそれぞれの音声ファイルがナレーター検索サーバ７から前記カスタマー側の注文者側端末へ送信される。ステップＳ17では、前記エントリ期限内に前記オファーサイトにエントリされた、前記ナレータ検索サーバ７により選択された声優やナレータ候補のそれぞれの音声ファイルを視聴し確認し、前記候補の中から最適な声優やナレータを選択する。
【００３１】
なお、この実施例２によれば、ステップＳ１１が特許請求の範囲の登録ステップおよび登録手段に対応している。
また、ステップＳ１２が特許請求の範囲の選択ステップおよび選択手段に対応している。
また、ステップＳ１３が特許請求の範囲の送信ステップおよび送信手段に対応している。
また、ステップＳ１４が特許請求の範囲の音声ファイル作成ステップおよび音声ファイル作成手段に対応している。
また、ステップＳ１５が特許請求の範囲のエントリステップおよびエントリ手段に対応している。
また、ステップＳ１６が特許請求の範囲の口述者候補送信ステップおよび口述者候補送信手段に対応している。
【００３２】
従って、この実施例２によれば、声優やナレータの選択が事前に登録された声優やナレータの中からナレーター検索サーバ７により自動的に行われ、カスタマー側から提示された原稿ファイルが前記選択された声優やナレータへ自動的に送られる。このため、それぞれの声優やナレータについて、前記カスタマー側から提示されたナレータの条件に合致しているナレータであるか否かの判断に人為的な判断が介在する余地がなくなり、前記カスタマー側で行おうとするイベント内容に適したナレーションの可能なナレータを時間を要することなく、より的確かつ効率的に選択できる。また、ナレータ検索サーバ７と口述者側端末との間、ナレータ検索サーバ７と注文者側端末との間では、ナレータ検索サーバ７により選択された声優やナレータの音声ファイルが送受信されることから、前記ナレータ検索サーバ７と口述者側端末との間、ナレータ検索サーバ７と注文者側端末との間で、前記登録された声優やナレータ全ての音声ファイルの送受信を行う場合に比べ、前記ナレータ検索サーバ７と口述者側端末との間の通信時間、および前記ナレータ検索サーバ７と注文者側端末との間の通信時間を短縮できる口述者検索方法および装置を提供できる効果がある。
【実施例３】
【００３３】
次に、この実施例３の口述者検索方法が適用される口述者検索システムについて説明する。前記実施例１の口述者検索システムでは、オファーサイトにアクセスした声優やナレータが、カスタマー側から提示された声優やナレータの条件に合致する否かを自分で判断するものであった。この実施例３の口述者検索システムは、声優やナレータ側のナレータ条件をその声優やナレータ側においてナレータ検索サーバ７のオファーサイトへ事前に登録する点と、カスタマー側から提示された原稿ファイルを前記事前に登録された声優やナレータ全てに送信する点と、前記事前に登録された声優やナレータから前記原稿ファイルに対する音声ファイルが送り返されてきた後に、カスタマー側から提示されたナレータの条件に合致しているナレータであるか否かを、前記ナレータ側から事前に登録されたナレータ条件をもとにナレータ検索サーバ７において判定し選択する点に特徴を有する。
【００３４】
図７は、この実施例３の口述者検索方法が適用される口述者検索システムの動作を、注文者側端末１，２とナレータ検索サーバ７と口述者側端末３，４，５，６との間で送受される情報をもとに順序付けて示したシーケンス図である。なお、図７において図５と同一の部分については同一の符号を付し説明を省略する。図７において、この実施例３の特徴的なステップは、ステップＳ２１、ステップＳ２２、ステップＳ２４、ステップＳ２５、ステップＳ２６およびステップＳ２７である。ステップＳ２１では、声優やナレータ側のナレータ条件をその声優やナレータがそれぞれの口述者側端末からナレータ検索サーバ７のオファーサイトへ事前に登録する。ステップＳ２２では、ナレータ検索サーバ７では、カスタマー側から提示された原稿ファイルを前記事前に登録された声優やナレータ全てに送信する。ステップＳ２３では、前記原稿ファイルが送信された前記登録されている声優やナレータが前記原稿ファイルに基づいてナレーションを行い、録音し、音声ファイルを作成する。ステップＳ２４では、前記声優やナレータはナレーションを行ったときの音声ファイルをナレータ検索サーバ７へ送信し、前記オファーサイトにエントリする。ステップＳ２５では、前記事前登録されたナレータ条件と前記カスタマー側から提示されたナレータの条件とを比較し、それぞれの声優やナレータについて、カスタマー側から提示されたナレータの条件に合致しているナレータであるか否かを判定し、カスタマー側から提示されたナレータの条件に合致するナレータをナレータ検索サーバ７が選択する。ステップＳ２６では、前記オファーサイトにエントリされた前記声優やナレータ候補の中の前記ナレータ検索サーバ７により選択された声優やナレータの音声ファイルが、ナレーター検索サーバ７から前記カスタマー側の注文者側端末へ送信される。ステップＳ２7では、エントリ期限内に前記オファーサイトにエントリされた、前記ナレータ検索サーバ７により選択された声優やナレータ候補のそれぞれの音声ファイルを視聴し確認し、前記候補の中から最適な声優やナレータを選択する。
【００３５】
なお、この実施例３によれば、ステップＳ２１が特許請求の範囲の登録ステップおよび登録手段に対応している。
また、ステップＳ２２が特許請求の範囲の送信ステップおよび送信手段に対応している。
また、ステップＳ２３が特許請求の範囲の音声ファイル作成ステップおよび音声ファイル作成手段に対応している。
また、ステップＳ２４が特許請求の範囲のエントリステップおよびエントリ手段に対応している。
また、ステップＳ２５が特許請求の範囲の選択ステップおよび選択手段に対応している。
また、ステップＳ２６が特許請求の範囲の口述者候補送信ステップおよび口述者候補送信手段に対応している。
【００３６】
従って、この実施例３によれば、カスタマー側から提示された原稿ファイルが事前に登録された声優やナレータ全てへ送られ、前記声優やナレータから前記原稿ファイルに対する音声ファイルが送り返されてきた後に、ナレーター検索サーバ７により前記カスタマー側から提示されたナレータの条件に合致しているナレータであるか否かの判断と選択が自動的に行われる。このため、それぞれの声優やナレータについて、前記カスタマー側から提示されたナレータの条件に合致しているナレータであるか否かの判断に人為的な判断が介在する余地がなくなり、前記カスタマー側で行おうとするイベント内容に適したナレーションの可能な声優やナレータを時間を要することなくより的確かつ効率的に選択できる。また、ナレータ検索サーバ７と注文者側端末との間では、ナレータ検索サーバ７により選択された声優やナレータの音声ファイルが送受信されることから、前記登録された声優やナレータ全ての音声ファイルの送受信を行う場合に比べ、前記ナレータ検索サーバ７と注文者側端末との間の通信時間を短縮できる口述者検索方法および装置を提供できる効果がある。
【図面の簡単な説明】
【００３７】
【図１】本発明の実施例１の口述者検索方法が適用される口述者検索システムの全体構成を示す概念図である。
【図２】本発明の実施例１の口述者検索システムにおいてカスタマー側からナレーションの注文があるときのナレータ検索サーバと注文者側端末と口述者側端末との間の動作を示す概念図である。
【図３】本発明の実施例１の口述者検索システムにおいてナレーションについてのカスタマー側からの注文に対し、声優やナレータからのエントリがある場合のナレータ検索サーバと注文者側端末と口述者側端末との間の動作を示す概念図である。
【図４】本発明の実施例１の口述者検索システムにおいてカスタマー側からナレーションについての正式な注文が行われる場合のナレータ検索サーバと注文者側端末と口述者側端末との間の動作を示す概念図である。
【図５】本発明の実施例１の口述者検索システムにおいて、ナレータ検索サーバと注文者側端末と口述者側端末との間の各動作を順序付けて示したシーケンス図である。
【図６】本発明の実施例２の口述者検索システムにおいて、ナレータ検索サーバと注文者側端末と口述者側端末との間の各動作を順序付けて示したシーケンス図である。
【図７】本発明の実施例３の口述者検索システムにおいて、ナレータ検索サーバと注文者側端末と口述者側端末との間の各動作を順序付けて示したシーケンス図である。
【符号の説明】
【００３８】
１，２……注文者側端末、３，４，５，６……口述者側端末、７……ナレータ検索サーバ（口述者検索サーバ）、８……ネットワーク。
【図１】
2005165796.tif 000003
【図２】
2005165796.tif 000004
【図３】
2005165796.tif 000005
【図４】
2005165796.tif 000006
【図５】
2005165796.tif 000007
【図６】
2005165796.tif 000008
【図７】
2005165796.tif 000009